(57)【特許請求の範囲】
【請求項１】
端部が下向きに折り曲げられた折曲部を有する板材の端部間同士を連結する連結装置であって、
連結される一方の板材の折曲部と他方の板材の折曲部とに下方からはめ込まれる第１の連結部材と、この第１の連結部材を一方の板材側に保持する第２の連結部材とで構成され、
上記第１の連結部材は、横板と、この横板の両端部から立設された一対の挟み板とで構成され、
上記一対の挟み板間に、一方の板材の折曲部と他方の板材の折曲部とをはめ込み自在なはめ込み部が形成され、
上記第２の連結部材は、一方の板材の上面に係合する係合板と、この係合板の先端から垂下した縦板と、この縦板の下端に設けられかつ上記第１の連結部材を下方から保持する保持板とで構成され、
上記縦板には、上記第１の連結部材が挿通可能な開口部が形成され、
上記第１の連結部材を第２の連結部材の開口部に挿通した際、一方の挟み板が上記縦板よりも一方の板材側に突出しかつ他方の挟み板が上記縦板よりも他方の板材側に突出する位置で上記第１の連結部材を位置決めする位置決め部材が第２の連結部材に設けられていることを特徴とする連結装置。
【請求項２】
位置決め部材は、第２の連結部材の保持板に設けられた位置決め片と上方に突出する突部とで構成され、
上記位置決め片と突部との間に第１の連結部材がはめ込まれることを特徴とする請求項１記載の連結装置。
【請求項３】
端部が下向きに折り曲げられた折曲部を有する板材の端部間同士を連結する連結装置であって、
一方の板材の上面に係合する係合板の先端から縦板が垂下され、
上記縦板の下端から一方の板材側に一方の挟み板が上へ向かって設けられるとともに、他方の板材側に他方の挟み板が上へ向かって設けられ、
上記縦板と一方の挟み板との間の空間に、側方から脱抜自在な差込板が差し込まれ、
上記差込板と縦板との間に一方の板材の折曲部が挟まれ、上記他方の挟み板と縦板との間に他方の板材の折曲部が挟まれることを特徴とする連結装置。
【請求項４】
係合板の裏面が凹凸状に形成されていることを特徴とする請求項１または請求項３記載の連結装置。
【発明の詳細な説明】
【０００１】
【発明の属する技術分野】
本発明は、棚板等の板材同士を連結する際に使用される連結装置に関する。
【０００２】
【従来の技術】
従来、この種の連結装置としては例えば図１５，図１６に示すものがある。すなわち、６０ａ，６０ｂは棚板であり、それぞれ端部が下向きに折り曲げられた折曲部６１ａ，６１ｂを有している。これら両棚板６０ａ，６０ｂを連結する場合には連結装置６２が用いられる。
【０００３】
上記連結装置６２は、縦板６３の上下両端から互いに反対方向へ折り曲げられた横板６４ａ，６４ｂと、上位の横板６４ａの先端から下向きに折り曲げられた一方の縦片６５ａと、下位の横板６４ｂの先端から上向きに折り曲げられた他方の縦片６５ｂとで構成されている。上記縦板６３と一方の縦片６５ａとの間隔および縦板６３と他方の縦片６５ｂとの間隔はそれぞれ、上記折曲部６１ａ，６１ｂの厚さよりもわずかに大きく形成されている。
【０００４】
図１６に示すように、上記一方の縦片６５ａを、一方の棚板６０ａに形成された取付孔６６に上方から差し込むことにより、連結装置６２が一方の棚板６０ａに保持される。その後、他方の棚板６０ｂの折曲部６１ｂを上方から他方の縦片６５ｂと縦板６３との間に差し込む。これにより、図１５に示すように、両棚板６０ａ，６０ｂが連結装置６２を介して連結される。
【０００５】
【発明が解決しようとする課題】
しかしながら上記の従来形式では連結装置６２を取付孔６６に差し込んで取付けるため、既製の棚板６０ａに取付孔６６を形成する必要があり、加工作業が面倒であった。また、連結装置６２が不要となって連結装置６２を棚板６０ａ，６０ｂから取り外しても、取付孔６６は残存してしまうといった問題があった。
【０００６】
本発明は、板材に取付孔を形成することなく、板材同士を確実に連結することができる連結装置を提供することを目的とする。
【０００７】
【課題を解決するための手段】
上記目的を達成するために、本発明のうちで請求項１記載の発明は、端部が下向きに折り曲げられた折曲部を有する板材の端部間同士を連結する連結装置であって、連結される一方の板材の折曲部と他方の板材の折曲部とに下方からはめ込まれる第１の連結部材と、この第１の連結部材を一方の板材側に保持する第２の連結部材とで構成され、上記第１の連結部材は、横板と、この横板の両端部から立設された一対の挟み板とで構成され、上記一対の挟み板間に、一方の板材の折曲部と他方の板材の折曲部とをはめ込み自在なはめ込み部が形成され、上記第２の連結部材は、一方の板材の上面に係合する係合板と、この係合板の先端から垂下した縦板と、この縦板の下端に設けられかつ上記第１の連結部材を下方から保持する保持板とで構成され、上記縦板には、上記第１の連結部材が挿通可能な開口部が形成され、上記第１の連結部材を第２の連結部材の開口部に挿通した際、一方の挟み板が上記縦板よりも一方の板材側に突出しかつ他方の挟み板が上記縦板よりも他方の板材側に突出する位置で上記第１の連結部材を位置決めする位置決め部材が第２の連結部材に設けられているものである。
【０００８】
これによると、一方の板材と他方の板材とを連結装置で連結する場合、先ず、下方から一方の板材の折曲部に第１の連結部材をはめ込む。これにより、上記一方の折曲部がはめ込み部に挿入され、一方の挟み板が一方の折曲部の裏側に沿って位置する。
【０００９】
次に、第２の連結部材を前方から一方の板材に係合させる。すなわち、第１の連結部材の他方の挟み板が一方の板材の前方から第２の連結部材の開口部へ挿通され、第２の連結部材の縦板が一方の板材の折曲部に当て付けられて、係合板が一方の板材の上面に係合する。以って、上記第１の連結部材は第２の連結部材により一方の板材側に保持される。
【００１０】
この際、第１の連結部材は、位置決め部材によって、一方の挟み板が縦板よりも一方の板材側に突出しかつ他方の挟み板が上記縦板よりも他方の板材側に突出する取付位置に位置決めされる。
【００１１】
その後、他方の板材の折曲部を上方から第２の連結部材の縦板と第１の連結部材の他方の挟み板との間に差し込む。これにより、一方の折曲部が第２の連結部材の縦板と第１の連結部材の一方の挟み板との間に挟まれるとともに、他方の折曲部が第２の連結部材の縦板と第１の連結部材の他方の挟み板との間に挟まれて、両板材同士が連結される。
【００１２】
請求項２記載の発明は、位置決め部材は、第２の連結部材の保持板に設けられた位置決め片と上方に突出する突部とで構成され、上記位置決め片と突部との間に第１の連結部材がはめ込まれるものである。
【００１３】
これによると、第２の連結部材を一方の板材に係合させた際、第１の連結部材は、位置決め片と突部との間にはめ込まれて、一方の挟み板が縦板よりも一方の板材側に突出しかつ他方の挟み板が上記縦板よりも他方の板材側に突出する取付位置に位置決めされ、これにより、第１の連結部材が不用意に外れてしまうことを防止し得る。
【００１４】
請求項３記載の発明は、端部が下向きに折り曲げられた折曲部を有する板材の端部間同士を連結する連結装置であって、一方の板材の上面に係合する係合板の先端から縦板が垂下され、上記縦板の下端から一方の板材側に一方の挟み板が上へ向かって設けられるとともに、他方の板材側に他方の挟み板が上へ向かって設けられ、上記縦板と一方の挟み板との間の空間に、側方から脱抜自在な差込板が差し込まれ、上記差込板と縦板との間に一方の板材の折曲部が挟まれ、上記他方の挟み板と縦板との間に他方の板材の折曲部が挟まれるものである。
【００１５】
これによると、一方の板材と他方の板材とを連結装置で連結する場合、先ず、一方の板材の折曲部を縦板と一方の挟み板との間に挿入するとともに、係合板を一方の板材の上面に係合することにより、連結装置を下方から一方の板材に係合させる。
【００１６】
次に、差込板を側方から上記一方の板材の折曲部と一方の挟み板との間へ差し込む。これにより、上記一方の折曲部が縦板と差込板との間でしっかりと挟まれる。
【００１７】
その後、他方の板材の折曲部を上方から縦板と他方の挟み板との間に挿入することにより、上記他方の折曲部が縦板と他方の挟み板との間でしっかりと挟まれる。これにより、連結装置を介して両板材同士が連結される。
【００１８】
請求項４記載の発明は、係合板の裏面が凹凸状に形成されているものである。
これによると、連結装置を取付ける際、係合板の裏面の凹凸が一方の板材の上面に当接するため、係合板は滑らずにしっかりと一方の板材の上面に係合される。
【００１９】
【発明の実施の形態】
以下に、本発明の第１の実施の形態を図１〜図７に基づいて説明する。
図４に示すように、１は書籍等を収納する棚であり、それぞれ上下複数段の棚板２ａ，２ｂ（板材の一例）を有している。図１に示すように、上記各棚板２ａ，２ｂの周端部には、下向きに折り曲げられた折曲部３ａ，３ｂが形成されている。
【００２０】
１０は上記一方の棚板２ａと他方の棚板２ｂとを連結する連結装置である。この連結装置１０の構成を以下に説明する。すなわち、図１〜図３に示すように、上記連結装置１０は、一方の棚板２ａの折曲部３ａと他方の棚板２ｂの折曲部３ｂとに下方からはめ込まれる第１の連結部材１１と、この第１の連結部材１１を一方の棚板２ａ側に保持する第２の連結部材１２とで構成されている。
【００２１】
上記第１の連結部材１１は、横板１４と、この横板１４の両端から立設された一対の挟み板１３ａ，１３ｂとで構成されている。このうち他方の挟み板１３ｂは、一方の挟み板１３ａの側へ折り曲げられて、くの字形に形成されている。上記両挟み板１３ａ，１３ｂ間には、上記両折曲部３ａ，３ｂをはめ込むはめ込み部１５が形成されている。
【００２２】
上記第２の連結部材１２は、一方の棚板２ａの上面に上方から当て付けられて係合する係合板２０と、この係合板２０の先端から垂下された縦板２１と、この縦板２１の下端に設けられかつ上記第１の連結部材１１を下方から保持する保持板２２とで構成されている。上記保持板２２は、縦板２１を中心にして、一方の棚板２ａ側に水平状に張り出した一方の保持板部材２２ａと、他方の棚板２ｂ側に水平状に張り出した他方の保持板部材２２ｂとで構成されている。また、上記縦板２１には、上記第１の連結部材１１が挿通可能な開口部２３が形成されている。
【００２３】
上記保持板２２の他方の保持板部材２２ｂの先端部には、上記第１の連結部材１１の他方の挟み板１３ｂの下部形状に合わせて、斜め上へ折り曲げられた位置決め片２４が形成されている。また、上記一方の保持板部材２２ａの上面中央部には、上方に突出する円形の突部２５が形成されている。
【００２４】
上記位置決め片２４と突部２５とは、位置決め部材を構成するものであり、上記第１の連結部材１１を第２の連結部材１２の開口部２３に挿通した際、一方の挟み板１３ａが上記縦板２１よりも一方の棚板２ａ側に突出しかつ他方の挟み板１３ｂが上記縦板２１よりも他方の棚板２ｂ側に突出する取付位置で、第１の連結部材１１を位置決めするものである。
【００２５】
以下、上記構成における作用を説明する。
一方の棚板２ａと他方の棚板２ｂとを連結装置１０で連結する場合、先ず、図５に示すように、下方から一方の棚板２ａの折曲部３ａに第１の連結部材１１をはめ込む。これにより、上記折曲部３ａがはめ込み部１５に挿入され、一方の挟み板１３ａが折曲部３ａの裏側に沿って位置する。
【００２６】
次に、図６に示すように、第２の連結部材１２を前方から一方の棚板２ａに係合させる。すなわち、第１の連結部材１１の他方の挟み板１３ｂが一方の棚板２ａの前方から第２の連結部材１２の開口部２３へ挿通され、第２の連結部材１２の縦板２１が一方の棚板２ａの折曲部３ａに当て付けられて、係合板２０が一方の棚板２ａの上面に係合する。以って、上記第１の連結部材１１は第２の連結部材１２により一方の棚板２ａ側に保持される。
【００２７】
この際、第１の連結部材１１は、位置決め片２４と突部２５との間にはめ込まれることにより、一方の挟み板１３ａが縦板２１よりも一方の棚板２ａ側に突出しかつ他方の挟み板１３ｂが上記縦板２１よりも他方の棚板２ｂ側に突出する取付位置に位置決めされる。これにより、上記第１の連結部材１１が不用意に外れてしまうことを防止し得る。
【００２８】
その後、図７に示すように、他方の棚板２ｂの折曲部３ｂを上方から第２の連結部材１２の縦板２１と第１の連結部材１１の他方の挟み板１３ｂとの間に差し込む。これにより、図１に示すように、一方の折曲部３ａが第２の連結部材１２の縦板２１と第１の連結部材１１の一方の挟み板１３ａとの間に挟まれるとともに、他方の折曲部３ｂが縦板２１と他方の挟み板１３ｂとの間に挟まれて、一方の棚板２ａと他方の棚板２ｂとが連結される。
【００２９】
このように、連結装置１０を用いることによって、棚板２ａ，２ｂに取付孔を形成せずに上記両棚板２ａ，２ｂ同士を連結することができる。また、連結時、図６の仮想線で示すように、第２の連結部材１２を前方から一方の棚板２ａに係合させるため、一連の連結作業を一方の棚板２ａの前方で実施することができ、連結作業が容易になる。
【００３０】
尚、連結した両棚板２ａ，２ｂを分離する場合には、上記とは逆の手順で連結装置１０を取り外せばよい。
以下に、本発明の第２の実施の形態を図８〜図１４に基づいて説明する。
【００３１】
尚、棚１と棚板２ａ，２ｂと折曲部３ａ，３ｂとは先述した第１の実施の形態のものと同一であるため、説明を省略する。
図８〜図１０に示すように、４０は上記一方の棚板２ａと他方の棚板２ｂとを連結する連結装置である。この連結装置４０は、一方の棚板２ａの上面に上方から当て付けられて係合する係合板４１と、この係合板４１の先端から垂下された縦板４２と、この縦板４２の下端に設けられて両棚板２ａ，２ｂ側へ水平状に張り出した底板４３と、この底板４３の前後両端から立ち上げられた一対の挟み板４４ａ，４４ｂとで構成されている。
【００３２】
上記両挟み板４４ａ，４４ｂはそれぞれ、縦板４２の側へ折り曲げられて、くの字形に形成されている。このうち、一方の挟み板４４ａは上記縦板４２に対して一方の棚板２ａ側に並設され、他方の挟み板４４ｂは上記縦板４２に対して他方の棚板２ｂ側に並設されている。尚、上記一方の挟み板４４ａは縦板４２の一部を打抜加工することによって形成されているため、縦板４２の中央部には、一方の挟み板４４ａを打ち抜いた後の開口部４８が形成されている。
【００３３】
上記縦板４２と一方の挟み板４４ａとの間には、側方から脱抜自在な差込板４５が差し込まれている。この差込板４５の一側端には、裏側へ折り曲げられた規制片４６が形成され、差込板４５を縦板４２と一方の挟み板４４ａとの間に差し込んだ際、上記規制片４６が一方の挟み板４４ａの一側端に当接することによって、差込板４５の差し込み量が規制される。上記差込板４５には、一方の挟み板４４ａ側へ凹む凹部４７が形成されている。
【００３４】
図８に示すように、上記縦板４２と一方の挟み板４４ａとの間に差し込まれた差込板４５と上記縦板４２との間に、一方の棚板２ａの折曲部３ａが挟まれ、他方の挟み板４４ｂと縦板４２との間に、他方の板材２ｂの折曲部３ｂが挟まれる。
【００３５】
また、図１１に示すように、上記連結装置４０の係合板４１の裏面には、滑り止め用の溝４９が複数本形成されており、これにより、上記係合板４１の裏面は凹凸形状に形成されている。
【００３６】
以下、上記構成における作用を説明する。
一方の棚板２ａと他方の棚板２ｂとを連結装置４０で連結する場合、先ず、図１２に示すように、一方の棚板２ａの折曲部３ａを縦板４２と一方の挟み板４４ａとの間に挿入するとともに、係合板４１を一方の棚板２ａの上面に係合することにより、連結装置４０を下方から一方の棚板２ａに係合させる。
【００３７】
次に、図１０の仮想線および図１３に示すように、差込板４５を側方から上記一方の棚板２ａの折曲部３ａと一方の挟み板４４ａとの間へ差し込む。これにより、上記折曲部３ａが縦板４２と差込板４５との間でしっかりと挟まれる。この際、規制片４６が一方の挟み板４４ａの一側端に当接することによって、差込板４５の差し込み量が規制される。
【００３８】
その後、図１４に示すように、他方の棚板２ｂの折曲部３ｂを上方から縦板４２と他方の挟み板４４ｂとの間に挿入することにより、上記折曲部３ｂが縦板４２と他方の挟み板４４ｂとの間でしっかりと挟まれる。これにより、図８に示すように、連結装置４０を介して両棚板２ａ，２ｂ同士が連結される。
【００３９】
このように、連結装置４０を用いることによって、棚板２ａ，２ｂに取付孔を形成せずに上記両棚板２ａ，２ｂ同士を連結することができる。尚、連結した両棚板２ａ，２ｂを分離する場合には、上記とは逆の手順で連結装置４０を取り外せばよい。また、差込板４５の差込みおよび脱抜は、規制片４６をつまむことにより、容易に行える。
【００４０】
上記第２の実施の形態では、図１１に示すように、係合板４１の裏面に滑り止め用の溝４９を複数本形成して係合板４１の裏面を凹凸状にしているため、係合板４１の裏面が一方の棚板２ａの上面に当接した際、係合板４１は滑らずにしっかりと一方の棚板２ａの上面に係合される。尚、先に述べた第１の実施の形態における係合板２０の裏面にも、同様な滑り止め用の溝４９を複数本形成して、上記係合板２０の裏面を凹凸状にしてもよい。
【００４１】
上記第２の実施の形態では、図９に示すように、縦板４２に開口部４８が形成されているが、開口部４８のない閉塞した縦板４２であってもよい。
上記第１および第２の実施の形態では板材の一例として両棚板２ａ，２ｂを連結しているが、テーブル等を連結することも可能である。
【００４２】
【発明の効果】
以上のように本発明のうち請求項１の発明によると、板材に取付孔を形成せずに両板材同士を連結することができる。
【００４３】
また、請求項２の発明によると、第１の連結部材は位置決め片と突部との間にはめ込まれて位置決めされ、これにより、第１の連結部材が不用意に外れてしまうことを防止し得る。
【００４４】
また、請求項３の発明によると、板材に取付孔を形成せずに両板材同士を連結することができる。
また、請求項４の発明によると、連結装置を取付ける際、係合板の裏面の凹凸が一方の板材の上面に当接するため、係合板は滑らずにしっかりと一方の板材の上面に係合される。
【図面の簡単な説明】
【図１】本発明の第１の実施の形態における連結装置の側面図である。
【図２】同、連結装置の分解斜視図である。
【図３】同、第１の連結部材の一部を切り欠いた状態で、連結装置を一方の棚板側から見た図である。
【図４】同、連結装置を用いて連結された棚の平面図である。
【図５】同、連結装置を用いて棚板同士を連結する手順を示す図である。
【図６】同、連結装置を用いて棚板同士を連結する手順を示す図である。
【図７】同、連結装置を用いて棚板同士を連結する手順を示す図である。
【図８】本発明の第２の実施の形態における連結装置の側面図である。
【図９】同、連結装置の分解斜視図である。
【図１０】同、差込板を脱抜した状態で、連結装置を一方の棚板側から見た図である。
【図１１】同、図９におけるＡ−Ａ矢視図である。
【図１２】同、連結装置を用いて棚板同士を連結する手順を示す図である。
【図１３】同、連結装置を用いて棚板同士を連結する手順を示す図である。
【図１４】同、連結装置を用いて棚板同士を連結する手順を示す図である。
【図１５】従来の連結装置の側面図である。
【図１６】同、連結装置を用いて棚板同士を連結する手順を示す図である。
【符号の説明】
２ａ，２ｂ    棚板（板材）
３ａ，３ｂ    折曲部
１０    連結装置
１１    第１の連結部材
１２    第２の連結部材
１３ａ，１３ｂ    挟み板
１４    横板
１５    はめ込み部
２０    係合板
２１    縦板
２２    保持板
２３    開口部
２４    位置決め片（位置決め部材）
２５    突部（位置決め部材）
４０    連結装置
４１    係合板
４２    縦板
４４ａ，４４ｂ    挟み板
４５    差込板
【図１】
0003562253.tif 000002
【図２】
0003562253.tif 000003
【図３】
0003562253.tif 000004
【図４】
0003562253.tif 000005
【図５】
0003562253.tif 000006
【図６】
0003562253.tif 000007
【図７】
0003562253.tif 000008
【図８】
0003562253.tif 000009
【図９】
0003562253.tif 000010
【図１０】
0003562253.tif 000011
【図１１】
0003562253.tif 000012
【図１２】
0003562253.tif 000013
【図１３】
0003562253.tif 000014
【図１４】
0003562253.tif 000015
【図１５】
0003562253.tif 000016
【図１６】
0003562253.tif 000017